(57)【特許請求の範囲】
【請求項１】
紙片を筐体内へ取り込む取込部と、
前記取込部が取り込んだ紙片が紙幣であるかを識別する識別部と、
前記識別部の識別結果に応じて紙片を収納する収納部と、
前記識別部により紙幣でないとされた紙片を、前記識別部から前記収納部までの経路から取り除くリジェクト部と、
前記識別部により紙幣でないとされても前記リジェクト部により取り除かない紙片の枚数指定を行う指定手段と、
前記指定手段により指定された枚数分だけ、前記識別部により紙幣でないとされた紙片を、前記リジェクト部により取り除かせずに前記収納部に収納させる紙片収納手段と、
を備える紙幣収納装置。
【請求項２】
前記収納部は、前記筐体内に着脱自在の容器を備え、該容器に、前記指定手段により指定された枚数分だけの前記識別部により紙幣でないとされた紙片を、収納する
ことを特徴とする請求項１に記載の紙幣収納装置。
【請求項３】
前記収納部は、紙幣を金種別に収納し、前記指定手段により指定された枚数分だけの前記識別部により紙幣でないとされた紙片は一万円札を収納する箇所に収納する
ことを特徴とする請求項１に記載の紙幣収納装置。
【請求項４】
前記紙片収納手段が前記収納部に収納させる紙片に対応する金額を記録する金額記録手段をさらに備える
ことを特徴とする請求項１〜３のいずれか１つに記載の紙幣収納装置。
【請求項５】
紙片を筐体内へ取り込む取込部と、前記取込部が取り込んだ紙片が紙幣であるかを識別する識別部と、前記識別部の識別結果に応じて紙片を収納する収納部と、前記識別部により紙幣でないとされた紙片を、前記識別部から前記収納部までの経路から取り除くリジェクト部と、を備える紙幣収納装置が有するコンピュータを、
前記識別部により紙幣でないとされても前記リジェクト部により取り除かない紙片の枚数指定を行う指定手段と、
前記指定手段により指定された枚数分だけ、前記識別部により紙幣でないとされた紙片を、前記リジェクト部により取り除かせずに前記収納部に収納させる紙片収納手段と、
して機能させるプログラム。
【請求項６】
請求項１に記載の紙幣収納装置との間でデータの送受信を行う通信部と、
販売データを処理するデータ処理部と、
前記通信部を介して、前記販売データにかかる対価の支払いに充てられた金券またはクーポンの枚数を前記紙幣収納装置に送信する枚数通知手段と、
を備える販売データ処理装置。
【発明の詳細な説明】
【技術分野】
【０００１】
本発明の実施形態は、紙幣収納装置、プログラム、および販売データ処理装置に関する。
【背景技術】
【０００２】
従来、商品購入の支払いに、商品券などの金券やクーポンが用いられることがある。金券やクーポンは、紙幣と同程度かそれよりも小さい紙片であることが多い。キャッシャーは、決済時に客から金券やクーポンを預かると、それらを、例えば棒金ドロワや鍵付きの引出しなどに、手作業で保管する。
【０００３】
しかしながら、金券やクーポンは、現金同様の価値があるため、紙幣と同等の管理下に置かれることが望ましい。棒金ドロワや引出しは、鍵付きであることにより盗難対策にはなるが、様々な用事で開閉される上、大きく開けられることもある。このため、金券などを意図せず紛失するおそれがある。
【０００４】
しかし、従来の紙幣収納装置は、紙幣以外の紙片を返却（リジェクト）するようにつくられているので、金券やクーポンを収納することができない。
【発明の概要】
【発明が解決しようとする課題】
【０００５】
本発明が解決しようとする課題は、商品券などを紙幣とともに収納することができる紙幣収納装置、プログラム、および販売データ処理装置を提供することである。
【課題を解決するための手段】
【０００６】
実施形態の紙幣収納装置は、取込部と、識別部と、収納部と、リジェクト部と、指定手段と、紙片収納手段と、を備える。取込部は、紙片を筐体内へ取り込む。識別部は、前記取込部が取り込んだ紙片が紙幣であるかを識別する。収納部は、前記識別部の識別結果に応じて紙片を収納する。リジェクト部は、前記識別部により紙幣でないとされた紙片を、前記識別部から前記収納部までの経路から取り除く。指定手段は、前記識別部により紙幣でないとされても前記リジェクト部により取り除かない紙片の枚数指定を行う。紙片収納手段は、前記指定手段により指定された枚数分だけ、前記識別部により紙幣でないとされた紙片を、前記リジェクト部により取り除かせずに前記収納部に収納させる。
【図面の簡単な説明】
【０００７】
【図１】図１は、実施形態の釣銭機およびＰＯＳ端末の外観を示す斜視図である。
【図２】図２は、実施形態の紙幣釣銭機の内部を概略的に説明する平面図である。
【図３】図３は、実施形態の紙幣釣銭機の機能構成を示すブロック図である。
【図４】図４は、実施形態のＰＯＳ端末の機能構成を示すブロック図である。
【図５】図５は、実施形態の紙片収納処理の流れを示すフローチャートである。
【発明を実施するための形態】
【０００８】
実施形態について図面を用いて説明する。図１は、釣銭機１およびＰＯＳ（Point  Of  Sale：販売時点管理）端末２の外観を示す斜視図である。釣銭機１は、紙幣釣銭機１１および硬貨釣銭機１２を有する。紙幣釣銭機（紙幣収納装置）１１は、紙幣を識別して収納し、釣銭としての紙幣を出金する。硬貨釣銭機１２は、硬貨を識別して収納し、釣銭としての硬貨を出金する。
【０００９】
ＰＯＳ端末（販売データ処理装置）２は、一般に、一店舗に複数台備え付けられ、ユニークなレジナンバーを割り振られて精算場所に配設されている。キャッシャーは、売上処理にＰＯＳ端末２を用いる。ＰＯＳ端末２は、キーボード２１、表示器２２、カードリーダ／ライタ２３、コードスキャナ（不図示）などを備えている。
【００１０】
ＰＯＳ端末２は、店舗内にあるストアコントローラ（不図示）にＬＡＮ（Local  Area  Network）で接続されて用いられる。ストアコントローラは、店舗外の本部にあるサーバ（不図示）と専用回線で接続されて、サーバとデータの送受信（商品情報のダウンロードや販売データのアップロードなど）を行う。
【００１１】
ＰＯＳ端末２は、コードスキャナによりバーコードや二次元コード等の形態で各商品に付加された商品コードを読み取ると、この商品コードをストアコントローラに通知することで商品の問い合わせを行う。ストアコントローラは、ＰＯＳ端末２からの問い合わせに応じて商品マスタファイルを検索し、商品コードに対応した商品情報（単価など）を読み出してＰＯＳ端末２へ送信する。ＰＯＳ端末２は、ストアコントローラから、商品コードに対応する商品の単価などを取得する。また、ＰＯＳ端末２は、購入対象となった商品の単価および販売個数に基づき、これら商品の総額を算出し精算等の処理を行って売上データを生成した後、当該売上データを所定のタイミングでストアコントローラに送信する。
【００１２】
図２は、紙幣釣銭機１１の内部を概略的に説明する平面図である。紙幣釣銭機１１は、筐体３１、取込部３２、出金部３３、識別部３４、収納部３５、および搬送部３６を備えている。搬送部３６は、リジェクト部３７を兼ねている。また、収納部３５は、千券収納庫４１、五千券収納庫４２、万券収納庫４３、商品券収納庫４４、および回収カセット４５を備えている。
【００１３】
取込部３２は、筐体３１に形成された入金口３２ａを有し、入金口３２ａに差し込まれた紙幣などの紙片を筐体３１内へ取り込む。出金部３３は、筐体３１に形成された出金口３３ａを有し、出金口３３ａから釣銭としての紙幣などの紙片を吐き出す。
【００１４】
識別部３４は、紙片が紙幣であるかを識別する。収納部３５は、識別部３４の識別結果に応じて紙片を収納する。搬送部３６は、取込部３２から識別部３４を経て収納部３５の各収納庫４１〜４５へと紙片を搬送する。また、搬送部３６は、各収納庫４１〜４４に収納された紙幣や紙片を回収カセット４５に回収する場合に、各収納庫４１〜４４から回収カセット４５へ紙幣および紙片を搬送する。
【００１５】
リジェクト部３７としての搬送部３６は、識別部３４により紙幣でないとされた紙片を、識別部３４から出金部３３へと搬送する。これにより、リジェクト部３７は、紙片を識別部３４から収納部３５までの経路から取り除き、収納部３５に収納させない。
【００１６】
千券収納庫４１は、識別部３４により千円札であるとされた紙片を収納する。五千券収納庫４２は、識別部３４により五千円札であるとされた紙片を収納する。万券収納庫４３は、識別部３４により一万円札であるとされた紙片を収納する。
【００１７】
商品券収納庫４４は、商品券と推定される紙片を収納する。回収カセット４５は、筐体３１に着脱自在に収納される容器である。回収カセット４５は、千券収納庫４１、五千券収納庫４２、万券収納庫４３、および商品券収納庫４４に収納された各種紙片を筐体３１外へ持ち出す場合に、各収納庫４１〜４４から回収した紙片を収める容器である。また、回収カセット４５は、二千円札の収納庫としても用いられる。
【００１８】
図３は、紙幣釣銭機１１の機能構成を示すブロック図である。図４は、ＰＯＳ端末２の機能構成を示すブロック図である。紙幣釣銭機１１は、制御部（ＣＰＵ：Central  Processing  Unit）５１、ＲＯＭ（Read  Only  Memory）５２、ＲＡＭ（Random  Access  Memory）５３、通信Ｉ／Ｆ（インタフェース）５４、およびブザー５５をさらに備えている。また、紙幣釣銭機１１は、筐体３１に、操作キー３８および表示器３９を備えている。
【００１９】
取込部３２は、入金口センサ５６および入金口モータ５７をさらに備えている。出金部３３は、出金口モータ５８および出金口センサ５９をさらに備えている。識別部３４は、識別センサ６０をさらに備えている。収納部３５は、収納庫センサ６１、収納庫入口シャッタ６２および回収カセットセンサ６３をさらに備えている。搬送部３６は、搬送モータ６４をさらに備えている。
【００２０】
ＰＯＳ端末２は、制御部７１、ＲＯＭ７２、ＲＡＭ７３、および通信Ｉ／Ｆ（インタフェース）７４を備えている。
【００２１】
通信Ｉ／Ｆ５４は、ＰＯＳ端末２の通信Ｉ／Ｆ７４と接続し、相互なデータの送受信を可能とする。ブザー５５は、音声でオペレータにエラーなどを知らせる。表示器３９は、文字などでオペレータにエラーなどを知らせる。操作キー３８は、オペレータによる操作を受け付ける。
【００２２】
入金口センサ５６は、入金口３２ａに設けられ、入金口３２ａに差し込まれた紙片を検知する。入金口モータ５７は、入金口センサ５６が紙片を検知すると動作し、紙片を取り込む。出金口モータ５８は、出金口３３ａまで紙片を押し上げる。出金口センサ５９は、出金口３３ａに設けられ、出金口３３ａに押し出された紙片を検知する。
【００２３】
識別センサ６０は、紙片が紙幣であるかと、紙幣であればどの券種であるかを識別する。収納庫センサ６１は、各収納庫４１〜４４に設けられ、各収納庫４１〜４４に差し込まれた紙片を計数する。収納庫入口シャッタ６２は、各収納庫４１〜４４に設けられ、各収納庫４１〜４４の入口を開閉する。回収カセットセンサ６３は、回収カセット４５の有無を識別する。搬送モータ６４は、搬送部３６で紙片を移動させる。
【００２４】
ＲＯＭ５２は、制御部５１が実行する各種プログラムや各種データを記憶する。ＲＡＭ５３は、制御部５１が各種プログラムを実行する際に一時的にデータやプログラムを記憶する。制御部５１は、ＲＯＭ５２に記憶されたプログラムをＲＡＭ５３に読み出して実行することにより、紙幣釣銭機１１の各部を統括的に制御する。
【００２５】
同様に、ＰＯＳ端末２のＲＯＭ７２は、制御部７１が実行する各種プログラムや各種データを記憶する。ＲＡＭ７３は、制御部７１が各種プログラムを実行する際に一時的にデータやプログラムを記憶する。制御部７１は、ＲＯＭ７２に記憶されたプログラムをＲＡＭ７３に読み出して実行することにより、ＰＯＳ端末２の各部を統括的に制御する。
【００２６】
紙幣釣銭機１１の制御部５１は、プログラムを実行することにより、指定手段８１および紙片収納手段８２として機能する。
【００２７】
指定手段８１は、取込部３２による取り込み動作にかかる枚数指定であって、識別部３４により紙幣でないとされてもリジェクト部３７により取り除かない紙片の枚数指定を行う。より詳細には、指定手段８１は、ＰＯＳ端末２から通信Ｉ／Ｆ５４，７４を介して紙幣釣銭機１１の制御部５１が受け取る商品券の枚数情報を利用して、枚数指定を行う。
【００２８】
紙片収納手段８２は、取込部３２による取り込み動作について、指定手段により指定された枚数分だけ、識別部３４により紙幣でないとされた紙片を、リジェクト部３７により取り除かせずに収納部３５に収納させる。
【００２９】
このような構成の釣銭機１およびＰＯＳ端末２の動作について説明する。まず、客がレジカウンターに商品を持ってくると、オペレータは、商品に付されたバーコードなどのコードシンボルをコードスキャナに読み取らせる。オペレータは、客が持ち込んだ全ての商品について同じ作業を行うと、キーボード２１が備える「小計」キーを操作して商品が以上である旨をＰＯＳ端末２に伝える。
【００３０】
ＰＯＳ端末２の制御部７１は、コードシンボルを復号して情報を得、該情報に基づいて商品情報をストアコントローラに問い合わせて、商品情報すなわち商品名や価格を得る。そして、「小計」キーが操作されると、商品の価格を合計して小計額を得る。
【００３１】
ここで、客が支払いに商品券を用いる場合、オペレータは、キーボード２１を介して、商品券の種類や枚数を入力する。すると、ＰＯＳ端末２の制御部７１は、商品券の金額および枚数から合計額を算出し、該合計額を小計額から減額する。また、ＰＯＳ端末２の制御部７１は、通信Ｉ／Ｆ５４，７４を介して、紙幣釣銭機１１の制御部５１へ、商品券の枚数情報を連絡する。
【００３２】
次に、オペレータは、減額された小計額に見合う現金を客から受け取るか、もしくは残額のクレジット決済を行う。現金を受け取った場合には、オペレータは、現金を釣銭機１に収納する。このとき、現金に紙幣が含まれていれば、オペレータは、紙幣釣銭機１１に、紙幣とともに商品券をも収納させる。また、現金に紙幣が含まれなかった場合および商品券併用のクレジット決済の場合には、オペレータは、紙幣釣銭機１１に、商品券のみを収納させる。
【００３３】
図５は、紙幣釣銭機１１の制御部５１の紙片収納手段８２が行う紙片収納処理の流れを示すフローチャートである。制御部５１は、ＰＯＳ端末２から商品券の枚数情報を受信すると、指定手段８１により、識別部３４により紙幣でないとされてもリジェクト部３７により取り除かない紙片の枚数指定を行う。具体的には、制御部５１は、紙片収納処理で参照する「指定枚数」として、ＰＯＳ端末２から受信した枚数情報に基づく数値すなわち商品券の枚数を、ＲＡＭ５３などのメモリに保存する。
【００３４】
紙片収納処理は、入金口センサ５６が紙片を検知すると動作する。制御部５１は、紙片収納手段８２を、ステップＳ２〜ステップＳ５で実現する。
【００３５】
制御部５１は、識別部３４による紙幣以外の紙片の検知を待機する（ステップＳ１のＮｏ）。識別部３４が紙幣でない紙片を検知すると（ステップＳ１のＹｅｓ）、制御部５１は、枚数指定通知の有無を判断する（ステップＳ２）。
【００３６】
ステップＳ２で、枚数指定の通知があったとき（ステップＳ２のＹｅｓ）、つまり、ＰＯＳ端末２から受信した商品券枚数が保存されていた場合に、制御部５１は、紙幣でない紙片のカウント数が上記指定枚数よりも少ないかを判断する（ステップＳ３）。ここで、上記カウント数は、当該処理の開始時点では「０」である。
【００３７】
ステップＳ３で、カウント数が指定枚数よりも少ない場合（ステップＳ３のＹｅｓ）、制御部５１は、紙片の枚数をカウントする、つまり、カウント数を１だけ増やす（ステップＳ４）。そして、制御部５１は、紙片を商品券収納庫４４に収納して（ステップＳ５）、処理を終了する。
【００３８】
ステップＳ２で、枚数指定通知がなかったとき（ステップＳ２のＮｏ）、つまり、ＰＯＳ端末２から商品券枚数を受信していなく、商品券枚数が保存されていなかった場合に、制御部５１は、リジェクト部３７に、紙片をリジェクトさせる（ステップＳ６）。また、ステップＳ３で、カウント数が指定枚数以上であった場合（ステップＳ３のＮｏ）にも、制御部５１は、リジェクト部３７に、紙片をリジェクトさせる（ステップＳ６）。
【００３９】
このように、本実施形態によれば、紙幣釣銭機１１は、ＰＯＳ端末２にから商品券の枚数の情報を貰うことにより、識別部３４が紙幣でないとした紙片のうち、商品券と推定される紙片を、紙幣とともに保管する。これにより、商品券を紙幣と同等の管理下に置くことができる。
【００４０】
次に、上記実施形態の変形例について説明する。本変形例において言及しない部分は上記実施形態と同様とする。
上記実施形態では、商品券であると推定される紙片の保管先を商品券収納庫４４としているが、この保管先を、例えば万券収納庫４３としてもよい。この場合、万券収納庫４３内で、一万円札の中に商品券が混在することになるが、一万円札は釣銭に利用されないので、後に仕分け作業を要する以外の不都合はなく、商品券収納庫４４を設けなくてもよくなる利点があり、各収納庫４１〜４３の占めるスペースをこれまで通りにすることができる。
【００４１】
次に、上記実施形態の別の変形例について説明する。本変形例において言及しない部分は上記実施形態と同様とする。
上記実施形態では、商品券であると推定される紙片の保管先を商品券収納庫４４としているが、この保管先を、例えば回収カセット４５としてもよい。ただし、回収カセット４５が、上記実施形態のように、筐体３１に内蔵されるタイプの紙幣釣銭機１１であることが必要である。このように構成しても、商品券は釣銭に利用されないので不都合はなく、商品券収納庫４４を設けなくてもよくなる利点があり、各収納庫４１〜４３の占めるスペースをこれまで通りにすることができる。
【００４２】
次に、上記実施形態のさらに別の変形例について説明する。本変形例において言及しない部分は上記実施形態と同様とする。
上記実施形態では、ＰＯＳ端末２から紙幣釣銭機１１に提供される要保管紙片についての情報は「枚数」だけであるが、実施にあたっては、枚数とともに、金額をも、ＰＯＳ端末２から紙幣釣銭機１１に提供してもよい。このようにすると、紙幣釣銭機１１は、保管中の商品券の総額を記録することができ、紙幣釣銭機１１の有り高管理を行うことができる。
【００４３】
なお、上記実施形態およびその変形例では、ＰＯＳ端末２が取得した商品券の枚数を紙幣釣銭機１１が取得することで枚数指定を実現しているが、実施にあたっては、枚数指定の手法はこれに限らない。例えば、紙幣釣銭機１１に、オペレータによる操作を受け付ける操作部をさらに備え、指定手段８１は、操作部への操作に基づいて枚数指定を行うようにしてもよい。
【００４４】
また、上記実施形態およびその変形例では、リジェクト部３７は、識別部３４により紙幣でないとされた紙片を識別部３４から出金部３３へと搬送するが、実施にあたっては、収納部３５にリジェクト対象紙片を収納するための収納庫を設け、該収納庫に保管するようにしてもよい。
【００４５】
そして、上記実施形態およびその変形例では、保管すべき紙片が商品券である場合について説明したが、実施にあたっては、保管すべき紙片が商品券に限らないことは言うまでもなく、例えば、何らかの金券、あるいは、値引や割引など各種サービスを約束するクーポンであってもよい。
【００４６】
なお、上記実施形態の紙幣釣銭機１１およびＰＯＳ端末２で実行されるプログラムは、ＲＯＭ等に予め組み込まれて提供される。
上記実施形態の紙幣釣銭機１１およびＰＯＳ端末２で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
さらに、上記実施形態の紙幣釣銭機１１およびＰＯＳ端末２で実行されるプログラムを、インターネット等のネットワークに接続されたコンピュータ上に格納し、ネットワーク経由でダウンロードさせることにより提供するように構成しても良い。また、上記実施形態の紙幣釣銭機１１およびＰＯＳ端末２で実行されるプログラムをインターネット等のネットワーク経由で提供または配布するように構成しても良い。
上記実施形態の紙幣釣銭機１１で実行されるプログラムは、上述した各部（指定手段、紙片収納手段）を含むモジュール構成となっている。ＣＰＵ（プロセッサ）は、上記ＲＯＭからプログラムを読み出して、上記各手段を主記憶装置上にロードする。これにより、指定手段、紙片収納手段が、主記憶装置上に生成される。
【００４７】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１…釣銭機、
１１…紙幣釣銭機、１２…硬貨釣銭機、
３１…筐体、
３２…取込部、３２ａ…入金口、
３３…出金部、３３ａ…出金口、
３４…識別部、
３５…収納部、
３６…搬送部、
３７…リジェクト部、
３８…操作キー、
３９…表示器、
４１…千券収納庫、４２…五千券収納庫、４３…万券収納庫、
４４…商品券収納庫、
４５…回収カセット、
５１…制御部、
５２…ＲＯＭ、５３…ＲＡＭ、
５４…通信Ｉ／Ｆ、
５５…ブザー、
５６…入金口センサ、５７…入金口モータ、
５８…出金口モータ、５９…出金口センサ、
６０…識別センサ、
６１…収納庫センサ、６２…収納庫入口シャッタ、
６３…回収カセットセンサ、
６４…搬送モータ、
８１…指定手段、８２…紙片収納手段。
２…ＰＯＳ端末、
２１…キーボード、２２…表示器、
２３…カードリーダ／ライタ、
７１…制御部、
７２…ＲＯＭ、７３…ＲＡＭ、
７４…通信Ｉ／Ｆ。
【先行技術文献】
【特許文献】
【００４９】
【特許文献１】特許第４８７９５９９号公報
【特許文献２】特開２００７−３４５２３号公報
【図１】
0006042784.tif 000002
【図２】
0006042784.tif 000003
【図３】
0006042784.tif 000004
【図４】
0006042784.tif 000005
【図５】
0006042784.tif 000006